Podtech/llm-jp-corpus-v4-ja_patent huggingface dataset:
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
シス−１，１，１，４，４，４−ヘキサフルオロ−２−ブテンとトランス−１，２−ジクロロエチレンとを含む組成物を含有する冷却装置であって、ここで前記冷却装置が遠心圧縮機を含む冷却装置。
【請求項２】
前記冷却装置がフラデッドエバポレーター冷却装置である請求項１に記載の冷却装置。
【請求項３】
前記冷却装置が直接膨張式冷却装置である請求項１に記載の冷却装置。
【請求項４】
前記組成物が少なくとも５０質量パーセントのシス−１，１，１，４，４，４−ヘキサフルオロ−２−ブテンを含む請求項１に記載の冷却装置。
【請求項５】
シス−１，１，１，４，４，４−ヘキサフルオロ−２−ブテンとトランス−１，２−ジクロロエチレンとを含む前記組成物が共沸または共沸混合物様である請求項１に記載の冷却装置。
【請求項６】
前記組成物が約５５質量パーセント〜約９９質量パーセントのシス−１，１，１，４，４，４−ヘキサフルオロ−２−ブテンと約４５質量パーセント〜約１質量パーセントのトランス−１，２−ジクロロエチレンとを含む請求項５に記載の冷却装置。
【請求項７】
前記組成物が、前記１，１，１，４，４，４−ヘキサフルオロ−２−ブテンと１，２−ジクロロエチレンとの総質量を基準として５７．５質量パーセント超のシス−１，１，１，４，４，４−ヘキサフルオロ−２−ブテンを含む不燃性組み合わせを含む請求項１に記載の冷却装置。
【請求項８】
シス−１，１，１，４，４，４−ヘキサフルオロ−２−ブテンとトランス−１，２−ジクロロエチレンとを含む組成物を、冷却される本体の近くで、エバポレーターで蒸発させ、それによって冷却を行う工程を含み、ここで前記冷却装置が遠心圧縮機を含む、冷却装置の中で冷却を行う方法。
【請求項９】
前記冷却が冷却装置で行われ、冷却媒体を前記エバポレーターに通す工程であって、前記蒸発工程が前記冷却媒体を冷却する工程と、前記冷却媒体を前記エバポレーターから冷却される前記本体に送る工程とをさらに含む、請求項８に記載の方法。
【請求項１０】
冷却装置でＨＣＦＣ−１２３またはＣＦＣ−１１冷媒を置き換える方法であって、前記方法がシス−１，１，１，４，４，４−ヘキサフルオロ−２−ブテンとトランス−１，２−ジクロロエチレンとを含む組成物を、前記冷媒の代わりに前記冷却装置に提供する工程を含み、ここで前記冷却装置が遠心圧縮機を含む、方法。
【請求項１１】
前記遠心圧縮機が羽根車を有し、前記羽根車の回転速度を上げる工程をさらに含む、請求項１０に記載の方法。
【請求項１２】
前記遠心圧縮機が羽根車を有し、前記圧縮機羽根車をより大きい直径の羽根車で置き換える工程をさらに含む、請求項１０に記載の方法。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
冷媒を含有する冷却装置であって、該冷媒がトランス−ＨＦＯ−１３３６ｍｚｚからなり、ここで前記冷却装置がＣＦＣ−１１４またはＨＦＣ−２３６ｆａでの使用に適している遠心冷却装置であることを特徴とする、上記冷却装置。
【請求項２】
前記冷却装置がフラデッドエバポレーター冷却装置または直接膨張式冷却装置である請求項１に記載の冷却装置。
【請求項３】
冷却しようとする本体の近くでエバポレーターでトランス−ＨＦＯ−１３３６ｍｚｚからなる冷媒をを蒸発させ、それによって冷却を生じさせる工程を含んでなり、ここで前記冷却装置がＣＦＣ−１１４またはＨＦＣ−２３６ｆａでの使用に適している遠心冷却装置である、冷却装置で冷却を生じさせる方法。
【請求項４】
冷却媒体を冷却装置のエバポレーターに通す工程と、トランス−ＨＦＯ−１３３６ｍｚｚをエバポレーターで蒸発させて蒸気組成物を形成し、それによって冷却媒体を冷却する工程と、冷却媒体をエバポレーターから冷却しようとする本体に送る工程とをさらに含んでなる、請求項３に記載の方法。
【請求項５】
冷却装置が、フラデッドエバポレーター冷却装置および直接膨張式冷却装置からなる群から選択される請求項４に記載の方法。
【請求項６】
蒸気組成物を遠心圧縮機で圧縮する工程をさらに含む、請求項３に記載の方法。
【請求項７】
遠心冷却装置でＨＦＣ−２３６ｆａまたはＣＦＣ−１１４冷媒を置き換える方法であって、置き換えられる冷媒の代わりにトランス−ＨＦＯ−１３３６ｍｚｚからなる冷媒を前記遠心冷却装置に供給する工程を含んでなる、上記方法。
【請求項８】
置き換えられる冷媒がＣＦＣ−１１４である、請求項７に記載の方法。
【請求項９】
置き換えられる冷媒がＨＦＣ−２３６ｆａである、請求項７に記載の方法。
【請求項１０】
前記冷却装置がフラデッドエバポレーター冷却装置または直接膨張式冷却装置である、請求項７に記載の方法。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
少なくとも、内側ライナ（５）と、該内側ライナ（５）と共に、介在させられた冷却室（７）を形成する外側カバープレート（６）とを含む部分（４）を有する燃焼器（１）において、前記内側ライナ（５）から、冷却室（７）内へ突出した複数の中空エレメント（９，９ｆ）が延びており、それぞれの中空エレメント（９，９ｆ）が、調整されたダクト（１１）を介して燃焼器（１）の内部に接続された減衰体積（１０）を有しており、該減衰体積（１０）は、前記介在させられた冷却室（７）によって少なくとも部分的に包囲されており、運転中に、前記中空エレメント（９）が、圧力脈動を減衰し、付加的に、熱も伝導することを特徴とする、燃焼器（１）。
【請求項２】
内側ライナ（５）を支持するために、少なくとも幾つかの中空エレメントが、カバープレート（６）に結合される固定中空エレメント（９ｆ）を形成している、請求項１記載の燃焼器（１）。
【請求項３】
中空エレメント（９，９ｆ）が、冷却室（７）を減衰体積（１０）に接続するパージ穴（１３）を有する、請求項１記載の燃焼器（１）。
【請求項４】
中空エレメント（９，９ｆ）が、冷却流れ方向（１４）に沿って整合させられている、請求項１記載の燃焼器（１）。
【請求項５】
中空エレメント（９，９ｆ）が、冷却流れ方向（１４）に関して交互にずらされている、請求項１記載の燃焼器（１）。
【請求項６】
中空エレメント（９，９ｆ）が、円筒形、だ円形、翼形又はこれらの組合せである、請求項１記載の燃焼器（１）。
【請求項７】
様々な中空エレメント（９，９ｆ）が、様々な減衰体積（１０）を形成する、請求項１記載の燃焼器（１）。
【請求項８】
少なくとも幾つかの中空エレメント（９，９ｆ）が、減衰材料（１７）が充填された減衰体積（１０）を有する、請求項１記載の燃焼器（１）。
【請求項９】
中空エレメント（９）の上壁（１６）が、カバープレート（６）から分離されている、請求項１記載の燃焼器（１）。
【請求項１０】
カバープレート（６）に貫通孔（１９）が設けられており、該貫通孔に、固定中空エレメント（９ｆ）が収容されている、請求項９記載の燃焼器（１）。
【請求項１１】
固定中空エレメント（９ｆ）が肩部（２０）を有しており、該肩部に対してカバープレート（６）が載置されている、請求項１０記載の燃焼器（１）。
【請求項１２】
固定中空エレメント（９ｆ）が、ボルト（２３）を介してカバープレート（６）に結合されるねじ山付き端部（２２）を有する、請求項１１記載の燃焼器（１）。
【請求項１３】
固定中空エレメント（９ｆ）が、調節可能な上壁（２４）を有する、請求項９記載の燃焼器（１）。
【請求項１４】
固定中空エレメント（９ｆ）の調節可能な上壁（２４）が、固定中空エレメント（９ｆ）の対応するねじ山付き部分（２６）に固定されたねじ山付きキャップ（２５）を有する、請求項１３記載の燃焼器（１）。
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
マイクロアレイベースサンプル分析（ＭＢＳＡ）システムであって：
交換可能なカートリッジが反応チャンバーおよびマイクロアレイを収容する着脱式、交換可能なサンプル分析ユニットを受容するよう構成されることを特徴とする前記の交換可能なカートリッジを受容するよう適合化されたカートリッジホルダー；
流動物の流動を制御する流動制御サブシステム；および
マイクロアレイの画像をキャプチャーするよう構成された光学サブシステムを含む前記ＭＢＳＡシステム。
【請求項２】
請求項１に記載のＭＢＳＡシステムであって：
反応処理中に前記反応チャンバーにおいて温度を制御するよう構成されたサーモサイクリングシステムをさらに含む前記ＭＢＳＡシステム。
【請求項３】
請求項２に記載のＭＢＳＡシステムであって、前記サーモサイクリングシステムが互いに向かい合う２個の柔軟性嚢を含む嚢状サーモサイクラーを含むことを特徴とする前記ＭＢＳＡシステム。
【請求項４】
請求項１に記載のＭＢＳＡシステムであって、前記光学サブシステムがレーザー光源を含むことを特徴とする前記ＭＢＳＡシステム。
【請求項５】
請求項１に記載のＭＢＳＡシステムであって、前記光学サブシステムが高輝度ＬＥＤ光源を含むことを特徴とする前記ＭＢＳＡシステム。
【請求項６】
請求項１に記載のＭＢＳＡシステムであって、前記光学サブシステムが蛍光撮像および蛍光非依存的撮像ができることを特徴とする前記ＭＢＳＡシステム。
【請求項７】
請求項６に記載のＭＢＳＡシステムであって、前記光学サブシステムが蛍光撮像のための第１の光源および蛍光非依存的撮像のための第２の光源を含むことを特徴とする前記ＭＢＳＡシステム。
【請求項８】
請求項７に記載のＭＢＳＡシステムであって、前記第２の光源が発光ダイオード（ＬＥＤ）であることを特徴とするＭＢＳＡシステム。
【請求項９】
請求項８に記載のＭＢＳＡシステムであって、前記ＬＥＤが反射光の暗視野照明を目的として構成されることを特徴とするＭＢＳＡシステム。
【請求項１０】
請求項８に記載のＭＢＳＡシステムであって、前記ＬＥＤが透過光の傾斜照明を目的として構成されることを特徴とするＭＢＳＡシステム。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
発電用熱核融合反応の燃料としての同位体的に純粋な11ボロン重水素化物の使用。
【請求項２】
電力出力がアルファ粒子と中性子によるものである
ことを特徴とする請求項１に記載の11ボロン重水素化物の使用。
【請求項３】
前記11ボロン重水素化物が11B12D12である
ことを特徴とする請求項１に記載の11ボロン重水素化物の使用。
【請求項４】
前記11ボロン重水素化物が11B10D10である
ことを特徴とする請求項１に記載の11ボロン重水素化物の使用。
【請求項５】
前記11ボロン重水素化物が11B6D6である
ことを特徴とする請求項１に記載の11ボロン重水素化物の使用。
【請求項６】
前記電力出力が主としてアルファ粒子により担送される
ことを特徴とする請求項１に記載の11ボロン重水素化物の使用。
【請求項７】
前記11ボロン重水素化物が11B24D12である
ことを特徴とする請求項６に記載の11ボロン重水素化物の使用。
【請求項８】
前記11ボロン重水素化物が11B20D10である
ことを特徴とする請求項６に記載の11ボロン重水素化物の使用。
【請求項９】
前記11ボロン重水素化物が11B12D6である
ことを特徴とする請求項６に記載の11ボロン重水素化物の使用。
【手続補正２】
【補正対象書類名】明細書
【補正対象項目名】００１０
【補正方法】変更
【補正の内容】
【００１０】
従来の11B12H12型の慣性閉じ込め核融合反応において、エネルギー出力は主としてアルファ粒子による。これらが回収され当業者には周知の処理を用いて直接高電圧直流電気に変換される。ボロン重水素化物を燃料として使用する場合、２種類の状況が発生する可能性がある：
・第１の場合、例えば11B12D12などアルファ粒子と中性子の混合物が生成される。アルファ粒子からのエネルギーは前述したように抽出されるが、中性子が担持するエネルギーは周知のようなまた全ての従来技術の核融合反応炉で見られる従来技術の熱抽出により変換される。
・ボロン重水素化物例えば11B23D12の場合、ボロンイオンと重水素イオンの化学量論的比が存在し反応は主としてアルファ粒子を発生する。このエネルギーは当業者には周知の処理によって直接高電圧直流電気に変換される。
【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
結像装置であって、
ａ．所定の屈折率プロファイルに従って変化する屈折率を有するレンズと、
ｂ．ソースと、
ｃ．前記装置から波を分離する出口と、
ｄ．前記レンズ、前記ソース、及び前記出口の周りに配置された反射器と
を備え、前記反射器及び前記レンズの前記屈折率プロファイルは共に、前記出口がなければ波が前記レンズ及び前記反射器により前記ソースへ指向し戻されるように閉鎖軌道に沿って、前記ソースから複数の方向のいずれかに伝送される波を前記出口へ指向させるよう構成され、前記出口は、像検出器、集波器、又は反射器を含む結像装置。
【請求項２】
請求項１に記載の結像装置において、前記レンズ、前記ソース、及び前記出口は全て同一平面上にある結像装置。
【請求項３】
請求項２に記載の結像装置において、前記反射器は、前記レンズ、前記ソース、及び前記出口を前記平面上で２次元で包囲する結像装置。
【請求項４】
請求項２又は３に記載の結像装置において、前記波は、前記ソースから前記平面上で複数の方向のいずれかに伝送される結像装置。
【請求項５】
請求項１〜４のいずれか１項に記載の結像装置において、前記ソースは波を前記装置に結合する手段を含む結像装置。
【請求項６】
請求項１〜５のいずれか１項に記載の結像装置において、前記レンズは前記ソース及び前記出口を備える結像装置。
【請求項７】
請求項１〜６のいずれか１項に記載の結像装置において、前記レンズの縁と前記反射器との間に隙間をさらに備える結像装置。
【請求項８】
請求項１〜６のいずれか１項に記載の結像装置において、前記反射器は前記レンズに隣接する結像装置。
【請求項９】
請求項１〜８のいずれか１項に記載の結像装置において、前記反射器は平面視で実質的に環状である結像装置。
【請求項１０】
請求項１〜９のいずれか１項に記載の結像装置において、前記レンズは回転対称であり、下記の陰方程式により与えられる前記屈折率プロファイルｎ（ｒ）で半径ｒに沿って変化し、
【数１】
2013505481.tif 000001
式中、ρは０〜ｒ0の範囲のパラメータであり、
ｒ0はレンズの半径であり、
ｒ1は反射器の半径であり、
ｂは積分変数である結像装置。
【請求項１１】
請求項１０に記載の結像装置において、前記レンズは、下記の方程式と一致する最大屈折率ｎ0を有し、
【数２】
2013505481.tif 000002
式中、ｒ0はレンズの半径であり、
ｒ1は反射器の半径であり、
ξは積分変数である結像装置。
【請求項１２】
請求項１〜１１のいずれか１項に記載の結像装置において、前記レンズは実質的に平面状である結像装置。
【請求項１３】
請求項１〜１２のいずれか１項に記載の結像装置において、前記レンズの誘電率はその屈折率の平方に等しい結像装置。
【請求項１４】
結像装置を使用した結像方法であって、前記装置は、
ａ．所定の屈折率プロファイルに従って変化する屈折率を有するレンズと、
ｂ．ソースと、
ｃ．前記装置から波を分離する出口であり、像検出器、集波器、又は反射器を含む出口と、
ｄ．前記レンズ、前記ソース、及び前記出口の周りに設けられた反射器と
を備える結像方法において、
波を前記ソースから複数の方向に伝送するステップと、前記レンズ及び前記反射器を使用して、前記出口がなければ波が前記レンズ及び前記反射器により前記ソースへ指向し戻されるように閉鎖軌道に沿って、前記伝送された波を前記出口へ指向させるステップと、該出口を使用して前記指向された波の少なくとも一部を前記装置から分離するステップとを含む結像方法。
【請求項１５】
請求項１４に記載の結像方法において、複数の波を前記出口に集束させるステップをさらに含む結像方法。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
モバイル通信装置において実施される方法であって、
通信源から通信を受信するステップと、
前記通信源に関連付けられる環境の種類の指示を得るステップと、
前記通信源に関連付けられる環境の種類の指示が前記モバイル通信装置の現在の環境の種類と一致するかどうかをチェックするステップであって、前記現在の環境の種類は前記モバイル通信装置が使用されている環境を示す、ステップと、
前記通信源に関連付けられる環境の種類の指示が前記モバイル通信装置の現在の環境の種類と一致する場合にのみ、前記通信の最初の通知を提示するステップと、
前記モバイル通信装置の現在の環境の種類が異なる環境の種類へ変更されることに応答して、
前記異なる環境の種類に関連付けられる１つ又は複数の通信源からの以前に失われた１つ又は複数の残りの通知を提示するステップと、
少なくとも、前記異なる環境の種類について情報がどのように表示されるべきかについての指示を保持する情報ストアを使用することにより、情報が前記モバイル通信装置上で提示される方法を変更するステップと
を含む方法。
【請求項２】
前記モバイル通信装置の現在の環境の種類は、前記モバイル通信装置の仕事／個人スイッチについてのユーザー選択によって示される請求項１に記載の方法。
【請求項３】
前記通信源に関連付けられる環境の種類の指示が前記モバイル通信装置の現在の環境の種類と一致する場合にのみ、前記通信の残りの通知を提示するステップをさらに含む請求項１に記載の方法。
【請求項４】
前記通信は音声通話を含む請求項１に記載の方法。
【請求項５】
前記通信源に関連付けられる環境の種類の指示を得るステップは、前記通信源の識別子に基づいて、前記モバイル通信装置のユーザーのリモート連絡先リストから前記通信源に関連付けられる環境の種類の指示を得るステップを含む請求項１に記載の方法。
【請求項６】
前記モバイル通信装置の現在の環境の種類は前記モバイル通信装置の現在時間に基づいて決定される請求項１に記載の方法。
【請求項７】
前記モバイル通信装置の現在の環境の種類は前記モバイル通信装置の現在の位置に基づいて決定される請求項１に記載の方法。
【請求項８】
前記現在の環境の種類は個人であり、前記通信源に関連付けられる環境の種類の指示が個人又は個人と仕事の両方のいずれかである場合に前記通信源に関連付けられる環境の種類の指示が前記モバイル通信装置の現在の環境の種類と一致する請求項１に記載の方法。
【請求項９】
前記現在の環境の種類が仕事であり、前記通信源に関連付けられる環境の種類の指示が仕事又は個人と仕事の両方のいずれかである場合に前記通信源に関連付けられる環境の種類の指示が前記モバイル通信装置の現在の環境の種類と一致する請求項１に記載の方法。
【請求項１０】
前記通信源に関連付けられる環境の種類の指示が前記モバイル通信装置の現在の環境の種類と一致しない場合に、
前記通信の記録を保持するステップと、
前記通信源に関連付けられる環境の種類が前記モバイル通信装置の現在の環境の種類と一致すると、前記通信の残りの通知を続いて提示するステップと
をさらに含む請求項１に記載の方法。
【請求項１１】
前記モバイル通信装置の現在の環境の種類に基づいて、表示されるべき情報を識別するステップと、
前記識別された情報を表示するステップと
をさらに含む請求項１に記載の方法。
【請求項１２】
前記モバイル通信装置の現在の環境の種類に基づいて、情報が表示されるべき方法を識別するステップと、
前記識別された方法で前記情報を表示するステップと
をさらに含む請求項１に記載の方法。
【請求項１３】
モバイル通信装置であって、
前記モバイル通信装置が使用されている現在の環境の種類を識別するように構成される現在環境インジケーターと、
そこから通信を受信することができる複数の通信源を識別し、各通信源について前記通信源に関連付けられる環境の種類を識別するように構成される、連絡先リストと、
前記モバイル通信装置が使用されている現在の環境の種類及び通信が受信される前記通信源に関連付けられる環境の種類を得るように構成される決定モジュールであって、
前記モバイル通信装置が使用されている現在の環境の種類を前記通信が受信される前記通信源に関連付けられる環境の種類と比較し、
前記モバイル通信装置が使用されている現在の環境の種類が前記通信が受信される前記通信源に関連付けられる環境の種類と一致する場合にのみ、ユーザーインターフェース・モジュールが前記通信についての最初の通知を提示すべきであることを示す、
決定モジュールと、
前記現在の環境の種類が異なる環境の種類へ変更されることに応答して前記モバイル通信装置によって提示されるユーザーインターフェースを変更するように構成されるユーザーインターフェース・モジュールであって、前記ユーザーインターフェースは、前記異なる環境の種類に関連付けられる１つ又は複数の通信源からの以前に失われた通信の１つ又は複数の残りの通知を少なくとも自動的に提示することによって変更することができ、前記ユーザーインターフェースは、さらに、前記異なる環境の種類について情報がどのように表示されるべきかについての指示に基づいて前記ユーザーインターフェース上で情報が提示される方法を変更することによって変更することができ、前記指示は前記ユーザーインターフェース・モジュールによってアクセス可能な情報ストアから得られる、ユーザーインターフェース・モジュールと
を備えるモバイル通信装置。
【請求項１４】
前記モバイル通信装置は仕事／個人スイッチをさらに含み、前記モバイル通信装置が使用されている現在の環境の種類が前記仕事／個人スイッチについてのユーザー選択によって示される請求項１３に記載のモバイル通信装置。
【請求項１５】
前記決定モジュールはさらに、前記通信源に関連付けられる環境の種類の指示が前記モバイル通信装置の現在の環境の種類と一致する場合にのみ、前記通信についての残りの通知を提示するように構成される請求項１３に記載のモバイル通信装置。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
拡大されたビデオストリームにおける仮想オブジェクトと相互作用するための方法であって、
ビデオ・シーンの所与の物理的な位置にインサートされた３次元仮想オブジェクトを有する拡大されたビデオストリームを表示することと、
視聴者からの前記仮想オブジェクトとの相互作用の要求を受信することと、
前記視聴者からの前記仮想オブジェクトおよび前記相互作用の要求と関連したメタデータに基づいて前記所与の物理的な位置での仮想オブジェクトの外観を変えることと
を含む、方法。
【請求項２】
前記仮想オブジェクトの外観を変えることが、互いにハイパーリンクされる複数の３次元仮想オブジェクトを表示することを含む、請求項１に記載の方法。
【請求項３】
前記複数の仮想オブジェクトにおけるオブジェクトが、所定のアーキテクチャに従ってリンクおよび表示される、請求項２に記載の方法。
【請求項４】
前記ハイパーリンクが、前記視聴者の相互作用履歴および前記視聴者の人口統計情報のうちの少なくとも１つに従って変化する、請求項２に記載の方法。
【請求項５】
前記仮想オブジェクトの外観を変えることが、前記所与の物理的な位置から前記視聴者によって選択されるビデオ・シーンにおける交互の物理的な位置まで前記ビデオ・シーンにおける前記仮想オブジェクトの前記位置を移動することを含む、請求項１に記載の方法。
【請求項６】
前記交互の物理的な位置が、前記ビデオ・シーンの最前面における動的位置である、請求項５に記載の方法。
【請求項７】
前記仮想オブジェクトの外観を変えることが、前記仮想オブジェクトの内部を明らかにすることを含む、請求項１に記載の方法。
【請求項８】
前記仮想オブジェクトの外観を変えることが、前記仮想オブジェクトの空間方向を変えることを含む、請求項１に記載の方法。
【請求項９】
前記仮想オブジェクトとの相互作用の要求を受信することが、ドラッグ、クリック、または回転運動のうち少なくとも１つによって前記スクリーンで前記仮想オブジェクトの直接操作によって発生された要求を受信することを含む、請求項１に記載の方法。
【請求項１０】
前記仮想オブジェクトとの相互作用の要求を受信することが、前記ビデオを中断する要求を受信することを含む、請求項１に記載の方法。
【請求項１１】
前記仮想オブジェクトとの相互作用の要求を受信することが、前記選択された仮想オブジェクトに関連した音声トラックを呼び出す要求を受信することを含む、請求項１に記載の方法。
【請求項１２】
拡大されたビデオストリームの仮想オブジェクトと相互作用する方法であって、
ビデオ・シーンにインサートされる複数の３次元仮想オブジェクトを有する拡大されたビデオストリームを表示することと、
視聴者から前記複数の仮想オブジェクトの特定の仮想オブジェクトを有する相互作用の要求を受信することと、
前記特定の仮想オブジェクトを有する相互作用の要求に基づいて表示されたビデオストリームを変えることと
を含む、方法。
【請求項１３】
前記表示されたビデオストリームを変えることが、前記特定の仮想オブジェクトと関連した内容を有する他のビデオストリームを表示することを含む、請求項１２に記載の方法。
【請求項１４】
前記拡大されたビデオストリームが第１チャンネルにて受信され、他のビデオストリームが第２のチャンネルにて受信される、請求項１３に記載の方法。
【請求項１５】
前記拡大されたビデオストリームが、入門部分および複数の専門部分、前記入門部分の間、インサートされた前記複数の３次元仮想オブジェクトを含み、前記表示されたビデオストリームの変化が、前記相互作用の要求に基づいて前記複数の専門部分に少なくとも１つの専門部分を表示することを含む、請求項１２に記載の方法。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
モバイル装置と通信できるように接続されたディスプレイ装置の制御方法において、
前記ディスプレイ装置で実行される第１アプリケーションと前記モバイル装置で実行される第２アプリケーションとを保存するステップと、
前記第１アプリケーションを実行するステップと、
前記モバイル装置に前記第２アプリケーションを伝送するステップと、
前記モバイル装置から前記第２アプリケーションを用いて、前記モバイル装置から発生した第１情報を受信するステップと、
前記第１アプリケーションの実行状態と前記受信した第１情報とに基づいて、第２情報をディスプレイするステップと、
を含むディスプレイ装置の制御方法。
【請求項２】
前記第１情報は、
前記モバイル装置に入力された情報であることを特徴とする請求項１に記載のディスプレイ装置の制御方法。
【請求項３】
前記第１情報は、
前記モバイル装置に入力された情報を前記モバイル装置が処理した結果情報であることを特徴とする請求項１に記載のディスプレイ装置の制御方法。
【請求項４】
前記モバイル装置には前記第１情報としてユーザの音声情報が入力され、
前記第１情報の受信ステップは、
前記モバイル装置に入力された音声情報を受信し、
前記ディスプレイステップは、
前記受信された音声情報を音声認識を通じて文字情報として認識し、前記認識された文字情報と前記第１アプリケーションの実行状態とに基づいて、前記第２情報をディスプレイすることを特徴とする請求項１に記載のディスプレイ装置の制御方法。
【請求項５】
前記モバイル装置には前記第１情報としてユーザの音声情報が入力され、前記モバイル装置は音声認識を通じて入力された音声情報を文字情報として認識し、前記文字情報を処理して処理結果情報を抽出し、
前記第１情報の受信ステップは、
前記モバイル装置から前記処理結果情報を受信し、
前記ディスプレイステップは、
前記受信された処理結果情報と前記第１アプリケーションの実行状態とに基づいて、前記第２情報をディスプレイすることを特徴とする請求項１に記載のディスプレイ装置の制御方法。
【請求項６】
前記モバイル装置には前記第１情報としてユーザのタッチ操作情報が入力され、
前記第１情報の受信ステップは、
前記モバイル装置に入力されたタッチ操作情報を受信し、
前記ディスプレイステップは、
前記受信されたタッチ操作情報を手書き文字認識を通じて文字情報として認識し、前記認識された文字情報と前記第１アプリケーションの実行状態とに基づいて、前記第２情報をディスプレイすることを特徴とする請求項１に記載のディスプレイ装置の制御方法。
【請求項７】
前記モバイル装置には前記第１情報としてユーザのタッチ操作情報が入力され、前記モバイル装置は手書き文字認識を通じて入力されたタッチ操作情報を文字情報として認識し、前記文字情報を処理して処理結果情報を抽出し、
前記第１情報の受信ステップは、
前記モバイル装置から前記処理結果情報を受信し、
前記ディスプレイステップは、
前記受信された処理結果情報と前記第１アプリケーションの実行状態とに基づいて、前記第２情報をディスプレイすることを特徴とする請求項１に記載のディスプレイ装置の制御方法。
【請求項８】
前記モバイル装置には前記第１情報としてユーザのタッチ操作情報が入力され、
前記第１情報の受信ステップは、
前記モバイル装置に入力されたタッチ操作情報を受信し、
前記ディスプレイステップは、
前記受信されたタッチ操作情報と前記第１アプリケーションの実行状態とに基づいて、前記第２情報をディスプレイすることを特徴とする請求項１に記載のディスプレイ装置の制御方法。
【請求項９】
前記モバイル装置には前記第１情報としてユーザのタッチ操作情報が入力され、前記モバイル装置は前記タッチ操作情報を処理して処理結果情報を抽出し、
前記第１情報の受信ステップは、
前記モバイル装置から前記処理結果情報を受信し、
前記ディスプレイステップは、
前記受信された処理結果情報と前記第１アプリケーションの実行状態とに基づいて、前記第２情報をディスプレイすることを特徴とする請求項１に記載のディスプレイ装置の制御方法。
【請求項１０】
前記モバイル装置には前記第１情報としてモーション情報が入力され、
前記第１情報の受信ステップは、
前記モバイル装置に入力されたモーション情報を受信し、
前記ディスプレイステップは、
前記受信されたモーション情報と前記第１アプリケーションの実行状態とに基づいて、前記第２情報をディスプレイすることを特徴とする請求項１に記載のディスプレイ装置の制御方法。
【請求項１１】
前記モバイル装置からユーザ情報を受信するステップと、
前記受信されたユーザ情報を用いて前記モバイル装置のユーザを認識するステップと
を更に含むことを特徴とする請求項１に記載のディスプレイ装置の制御方法。
【請求項１２】
ディスプレイ装置で実行される第１アプリケーションとモバイル装置で実行される第２アプリケーションとが保存されたディスプレイ装置と通信できるように接続されたモバイル装置の制御方法において、
前記ディスプレイ装置から前記第２アプリケーションを受信するステップと、
前記受信された第２アプリケーションを実行するステップと、
ユーザ操作に従って第１情報が入力されるステップと、
前記入力された第１情報を前記ディスプレイ装置に伝送するステップと
を含むモバイル装置の制御方法。
【請求項１３】
前記入力されるステップは、
前記第１情報としてユーザの音声情報が入力され、
前記伝送ステップは、
前記ディスプレイ装置に前記入力された音声情報を伝送することを特徴とする請求項１２に記載のモバイル装置の制御方法。
【請求項１４】
前記入力されるステップは、
前記第１情報としてユーザのタッチ操作情報が入力され、
前記伝送ステップは、
前記ディスプレイ装置に前記入力されたタッチ操作情報を伝送することを特徴とする請求項１２に記載のモバイル装置の制御方法。
【請求項１５】
前記入力されるステップは、
前記第１情報としてモーション情報が入力され、
前記伝送ステップは、
前記ディスプレイ装置に前記入力されたモーション情報を伝送することを特徴とする請求項１２に記載のモバイル装置の制御方法。
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
タグ付けされた物体をトリガー条件に基づいてインテリジェントに監視するシステムであって、
各々がモバイルコンピューティング装置のユーザーと関連付けられる、１つ又は複数のトリガー条件の識別を格納するメモリー領域と、
前記メモリー領域において識別される前記トリガー条件の少なくとも１つの発生について前記モバイルコンピューティング装置を監視し、
前記トリガー条件の少なくとも１つの発生に応答して、前記モバイルコンピューティング装置に近い１つ又は複数の物体を検出し、
前記検出された物体を位置サービスに対して確認し、前記位置サービスは、少なくとも１つの欠けている物体を識別するために、前記検出された物体を前記モバイルコンピューティング装置に近いと意図される物体と比較し、前記位置サービスは前記欠けている物体を少なくとも１つの他の計算装置に対して確認し、前記他の計算装置は前記他の計算装置に近い前記欠けている物体を検出することを試み、
前記欠けている物体が前記他の計算装置に近いかどうかについての通知を前記モバイルコンピューティング装置によって受信し、
前記モバイルコンピューティング装置のユーザーに前記受信された通知を提供する
ようにプログラムされたプロセッサーと
を備えるシステム。
【請求項２】
前記プロセッサーは前記位置サービスから前記通知を受信するようにプログラムされる請求項１に記載のシステム。
【請求項３】
前記プロセッサーは前記他の計算装置から前記通知を受信するようにプログラムされる請求項１に記載のシステム。
【請求項４】
前記メモリー領域は前記モバイルコンピューティング装置に近いと意図される物体のリストをさらに格納する請求項１に記載のシステム。
【請求項５】
前記メモリー領域は、前記物体のリスト中の物体の各々に関連付けられる識別子をさらに格納し、前記メモリー領域は、前記モバイルコンピューティング装置のユーザーと前記物体のリストとの間の関連性を格納する請求項４に記載のシステム。
【請求項６】
前記欠けている物体を見つける手段をさらに備える請求項１に記載のシステム。
【請求項７】
前記モバイルコンピューティング装置のバッテリー寿命を保護するように前記トリガー条件を定義する手段をさらに備える請求項１に記載のシステム。
【請求項８】
第１の計算装置に関連付けられるトリガー条件を定義するステップと、
前記トリガー条件のうちの少なくとも１つの発生に応答して、第１の計算装置が、前記第１の計算装置に近い１つ又は複数のアイテムを検出するステップと、
少なくとも１つの欠けているアイテムを識別するために、前記検出されたアイテムを、前記第１の計算装置に近いと意図されるアイテムのリストと比較するステップと、
前記欠けているアイテムを第２の計算装置に対して確認するステップであって、前記第２の計算装置は前記第２の計算装置に近い前記欠けているアイテムを検出することを試みる、ステップと、
前記第１の計算装置が、前記欠けているアイテムが前記第２の計算装置に近いかどうかについての通知を前記第２の計算装置から受信するステップと
を含む方法。
【請求項９】
前記第１の計算装置のユーザーからの入力に基づいて前記アイテムのリストを定義するステップをさらに含む請求項８に記載の方法。
【請求項１０】
前記第１の計算装置のユーザーに前記受信された通知を通知するステップをさらに含む請求項８に記載の方法。
【請求項１１】
前記欠けているアイテムを確認するステップは、前記第１の計算装置を複数の第２の計算装置に接続するネットワークを介して、前記複数の第２の計算装置に対して前記欠けているアイテムを確認するステップを含む請求項８に記載の方法。
【請求項１２】
前記欠けているアイテムを確認するステップはリモートサーバーに対して前記欠けているアイテムを確認するステップを含み、前記リモートサーバーは前記第２の計算装置に対して前記欠けているアイテムを確認する請求項８に記載の方法。
【請求項１３】
前記検出されたアイテムを前記アイテムのリストと比較する前記ステップは、前記第１の計算装置に近いと意図されたアイテムのリストとの比較のためにリモートサーバーに対して前記検出されたアイテムを確認するステップを含む請求項８に記載の方法。
【請求項１４】
前記トリガー条件のうちの少なくとも１つの発生について前記第１の計算装置を監視するステップをさらに含む請求項８に記載の方法。
【請求項１５】
前記トリガー条件を定義するステップは、時間ベースの移行、休止期間の後の前記第１の計算装置の移動、ワイヤレス・アクセス・ポイントへの接続、ワイヤレス・アクセス・ポイントからの切断、前記第１の計算装置のユーザーによる手動の起動、及び前記第１の計算装置の位置のうちの１つ又は複数を含むように前記トリガー条件を定義するステップを含む請求項８に記載の方法。
【請求項１６】
コンピューター実行可能なコンポーネントを有する１つ又は複数のコンピューター記憶媒体であって、前記コンポーネントは、
少なくとも１つのプロセッサーによって実行されると、前記少なくとも１つのプロセッサーに、計算装置の定義された近さ以内にあると意図される物体に識別子を関連付けさせる、タグコンポーネントと、
少なくとも１つのプロセッサーによって実行されると、前記少なくとも１つのプロセッサーに、前記計算装置と関連付けられる１つ又は複数のトリガー条件の発生に基づいて前記物体を選択的に監視させる、イベントコンポーネントと、
少なくとも１つのプロセッサーによって実行されると、前記少なくとも１つのプロセッサーに、前記定義された近さ以内に前記監視される物体がないことを検出させる、センサーコンポーネントと、
少なくとも１つのプロセッサーによって実行されると、前記少なくとも１つのプロセッサーに、前記監視される物体がないことを位置サービスに対して確認させる、ロケーターコンポーネントであって、前記位置サービスは前記計算装置の地理的領域内の複数の装置を識別し、前記複数の装置の少なくとも１つは前記監視される物体を検出し、前記ロケーターコンポーネントは前記位置サービス又は前記複数の装置の前記少なくとも１つから、前記監視される物体の検出についての通知を受信する、ロケーターコンポーネントと
を備える１つ又は複数のコンピューター記憶媒体。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
表示されたオブジェクトに加えられ、表示画面の予め定めたクリップボードの領域において終了する第１のドラッグ・アンド・リリースの操作に応答して、表示されたオブジェクトの視覚的に変更されたバージョンを生成し、および前記予め定めたクリップボードの領域に視覚的に変更されたバージョンを配置するステップであって、前記表示されたオブジェクトの前記視覚的に変更されたバージョンは、前記表示されたオブジェクトの元の外観を保持している、ステップと、
ユーザーのナビゲーションコマンドに応答して、一連の表示可能なコンテンツのページをステップ的に進めて、表示画面上に選択されたコンテンツページを表示するステップと、
前記一連の表示可能なコンテンツのページをステップ的に進める間に、表示されたオブジェクトの視覚的に変更されたバージョンを前記予め定めたクリップボードの領域に可視状態で維持するステップと、
前記表示されたオブジェクトの視覚的に変更されたバージョンに加えられ、表示画面の前記予め定めたクリップボードの領域の外側の前記選択されたコンテンツページ上で終了する第２のドラッグ・アンド・リリースの操作に応答して、前記表示されたオブジェクトの前記元の外観を復元し、および前記選択されたコンテンツページ上の位置において前記復元を配置するステップと
を備えたことを特徴とするビジュアルクリップボード方法。
【請求項２】
前記予め定めたクリップボードの領域は、ノートブック形態のファクタを有するコンピューティングデバイスの２つの表示画面の間に介在させた仕切板の２つの対向する側に規定された予め定めた余白領域であることを特徴とする請求項１に記載のビジュアルクリップボード方法。
【請求項３】
前記第１のドラッグ・アンド・リリースの操作は、前記２つの表示画面のうちの第１の画面に加えられるタッチ画面ジェスチャーであり、前記第２のドラッグ・アンド・リリースの操作は、前記２つの表示画面のうちの第２の画面に加えられるタッチ画面ジェスチャーであることを特徴とする請求項２に記載のビジュアルクリップボード方法。
【請求項４】
複数の異なる表示されたオブジェクトの各々に対して、前記予め定めたクリップボードの領域に前記表示されたオブジェクトの視覚的に変更されたバージョンを配置し、および維持して、前記複数の異なる表示されたオブジェクトに対するコピー操作を選択的に行うことができるようにするステップをさらに備えたことを特徴とする請求項１に記載のビジュアルクリップボード方法。
【請求項５】
前記生成するステップおよび前記配置するステップは、前記予め定めたクリップボードの領域に前記表示されたオブジェクトのより小さなバージョンを配置することを含むことを特徴とする請求項１に記載のビジュアルクリップボード方法。
【請求項６】
前記生成するステップおよび前記配置するステップは、前記予め定めたクリップボードの領域に前記表示されたオブジェクトの回転されたバージョンを配置することを含むことを特徴とする請求項１に記載のビジュアルクリップボード方法。
【請求項７】
前記生成するステップおよび前記配置するステップは、前記予め定めたクリップボードの領域に前記表示されたオブジェクトの調光バージョンを配置することを含むことを特徴とする請求項１に記載のビジュアルクリップボード方法。
【請求項８】
前記予め定めたクリップボードの領域は、前記表示画面上に可視的に表示されることを特徴とする請求項１に記載のビジュアルクリップボード方法。
【請求項９】
ビジュアルクリップボードの機能を備えたコンピューティングデバイスであって、
ディスプレイサブシステムと、
ロジックサブシステムと、
前記ディスプレイサブシステムおよび前記ロジックサブシステムと作動的に結合されたデータ保持サブシステムとを備え、
前記データ保持サブシステムは、前記ロジックサブシステムによって実行可能なインタフェースの命令を含んで、
表示されたオブジェクトに加えられ、前記ディスプレイサブシステムの表示画面の予め定めたクリップボードの領域において終了する第１のドラッグ・アンド・リリースの操作に応答して、前記表示されたオブジェクトの元の外観を保持している前記表示されたオブジェクトの視覚的に変更されたバージョンを生成し、および前記予め定めたクリップボードの領域に前記視覚的に変更されたバージョンを配置し、
可視状態で前記予め定めたクリップボードの領域に前記表示されたオブジェクトの前記視覚的に変更されたバージョンを維持し、
前記表示されたオブジェクトの前記視覚的に変更されたバージョンに加えられ、前記予め定めたクリップボードの領域の外側で終了する第２のドラッグ・アンド・リリースの操作に応答して、前記表示されたオブジェクトの前記元の外観を復元し、前記第２のドラッグ・アンド・リリースの操作が終了されることによって決定される位置に前記復元を配置することを特徴とするコンピューティングデバイス。
【請求項１０】
前記コンピューティングデバイスは、前記ノートブック形式のファクタを有し、前記ノートブック形式のファクタにおいて、前記ディスプレイサブシステムは、折り畳み可能に互いに結合された２つの表示画面を有することを特徴とする請求項９に記載のコンピューティングデバイス。
【請求項１１】
前記予め定めたクリップボードの領域は、前記２つの表示画面を分離する仕切板の両側に規定された予め定めた余白領域であることを特徴とする請求項１０に記載のコンピューティングデバイス。
【請求項１２】
前記インタフェースの命令は、前記第１のドラッグ・アンド・リリースの操作が前記２つの表示画面のいずれか一方に加えられるとともに、前記第２のドラッグ・アンド・リリースの動作が前記２つの表示画面の他方に加えられるコピー操作を行うことができるように構成したことを特徴とする請求項１１に記載のコンピューティングデバイス。
【請求項１３】
前記インタフェースの命令は、前記表示されたオブジェクトのより小さいバージョンを生成し、および前記より小さいバージョンを前記予め定めたクリップボードの領域に配置するように構成したことを特徴とする請求項９に記載のコンピューティングデバイス。
【請求項１４】
前記インタフェースの命令は、前記表示されたオブジェクトの回転されたバージョンを生成し、および前記回転されたバージョンを前記予め定めたクリップボードの領域に配置するように構成したことを特徴とする請求項９に記載のコンピューティングデバイス。
【請求項１５】
前記インタフェースの命令は、前記表示されたオブジェクトの調光バージョンを生成し、および前記調光バージョンを前記予め定めたクリップボードの領域に配置するように構成したことを特徴とする請求項９に記載のコンピューティングデバイス。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
オン状態における白色外観とオフ状態における有色外観とを持つ光源であって、前記有色外観は、前記光源内の、第１の波長範囲における光を吸収し第２の波長範囲における光を発する光ルミネッセント材料よってもたらされる、光源と、
前記光源から下流における切り替え可能な光学要素であって、少なくとも透過性の状態と第３の波長範囲において反射性である状態とを有する切り替え可能な光学要素と、
を有する照明装置であって、
前記光源がオフ状態にあり、かつ、前記切り替え可能な光学要素が反射状態にある場合に前記照明装置の白色外観をもたらすように、前記第３の波長範囲及び前記第１の波長範囲は実質的に重複しており、
前記切り替え可能な光学要素は、前記反射状態にある場合に、前記第３の波長範囲を有するアンビエント光の一部を反射する、
照明装置。
【請求項２】
前記光源は、
第４の波長範囲における光を発することができる発光要素と、
前記発光要素の下流におけるフォトルミネセンス要素であって、前記第１の波長範囲において、前記発光要素により発される前記光の一部を吸収し、この光の吸収に応答して、前記第２の波長範囲の光を発することができるフォトルミネセンス要素と、
を有しており、前記第２の波長範囲における放出と、前記第４の波長範囲における放出とは、オン状態における前記光源の白色外観をもたらすように調整されている、請求項１に記載の光源。
【請求項３】
前記発光要素は、発光ダイオード（ＬＥＤ）である、請求項２に記載の光源。
【請求項４】
前記発光要素は、レーザーである、請求項２に記載の光源。
【請求項５】
前記フォトルミネセンス要素は、蛍光体ベースのものである、請求項２に記載の照明装置。
【請求項６】
前記光源は、白色蛍光体コーティングされた発光ダイオード（ｐｃ―ＬＥＤ）である、請求項１に記載の照明装置。
【請求項７】
前記切り替え可能な光学要素は、電気的に切り替え可能である、請求項１に記載の照明装置。
【請求項８】
前記電気的に切り替え可能な光学要素は、切り替え可能なフォトニック・バンドギャップ材料である、請求項７に記載の照明装置。
【請求項９】
前記切り替え可能なフォトニック・バンドギャップは、切り替え可能なコレステリックゲルである、請求項８に記載の照明装置。
【請求項１０】
前記切り替え可能なフォトニック・バンドギャップ材料が、切り替え可能なフォトニック結晶構造に基づくものである、請求項８に記載の照明装置。
【請求項１１】
光学キャビティと、
前記光学キャビティを覆っていると共に光が前記光学キャビティから発されるのを可能にしている窓と、
を更に有し、前記光源は光学キャビティ内に配されており、前記窓は切り替え可能な光学要素を備えている、
請求項１に記載の照明装置。
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
（ａ）０．５質量％〜２０質量％のシリカ、
（ｂ）０．０２質量％〜５質量％の１種もしくは２種以上の有機カルボン酸、
（ｃ）０．０５質量％〜２質量％の１種もしくは２種以上のアミノホスホン酸、
（ｄ）０．１質量％〜５質量％の１種もしくは２種以上のテトラアルキルアンモニウム塩、
（ｅ）随意選択的に１種もしくは２種以上の重炭酸塩、
（ｆ）随意選択的に水酸化カリウム、および
（ｇ）水、
から本質的になる化学機械研磨組成物であって、７〜１１のｐＨを有する、化学機械研磨組成物。
【請求項２】
前記シリカが、湿式法シリカである、請求項１記載の研磨組成物。
【請求項３】
少なくとも１種の有機カルボン酸が、ヒドロキシカルボン酸である、請求項１記載の研磨組成物。
【請求項４】
前記有機カルボン酸が、脂肪族ヒドロキシカルボン酸である、請求項３記載の研磨組成物。
【請求項５】
少なくとも１種の有機カルボン酸が、ヒドロキシ安息香酸である、請求項１記載の研磨組成物。
【請求項６】
前記有機カルボン酸が、乳酸、２−ヒドロキシ酪酸、およびベンジル酸からなる群から選ばれた、請求項１記載の研磨組成物。
【請求項７】
前記有機カルボン酸が、アミノヒドロキシ安息香酸である、請求項５記載の研磨組成物。
【請求項８】
少なくとも１種のカルボン酸が、アミノ酸である、請求項１記載の研磨組成物。
【請求項９】
前記のアミノ酸が、プロリン、グリシン、アラニン、およびそれらの組み合わせからなる群から選ばれる、請求項８記載の研磨組成物。
【請求項１０】
前記アミノホスホン酸が、エチレンジアミンテトラ（メチレンホスホン酸）、アミノトリ（メチレンホスホン酸）、ジエチレントリアミンペンタ（メチレンホスホン酸）、およびそれらの組み合わせからなる群から選ばれる、請求項１記載の研磨組成物。
【請求項１１】
少なくとも１種の重炭酸塩が、前記研磨組成物中に存在し、かつ前記重炭酸塩が、重炭酸カリウムである、請求項１記載の研磨組成物。
【請求項１２】
（ａ）０．５質量％〜２０質量％のシリカ、
（ｂ）０．１質量％〜２質量％の１種もしくは２種以上のポリアミノカルボン酸、
（ｃ）０．１質量％〜５質量％の１種もしくは２種以上のアミン、
（ｄ）０．１質量％〜５質量％の１種もしくは２種以上のテトラアルキルアンモニウム塩、
（ｅ）０．００１質量％〜１質量％の１種もしくは２種以上の１，３−ジオール化合物、
（ｆ）随意選択的に１種もしくは２種以上の重炭酸塩、ならびに
（ｇ）水、
から本質的になる化学機械研磨組成物であって、７〜１１のｐＨを有する、化学機械研磨組成物。
【請求項１３】
（ａ）０．５質量％〜２０質量のシリカ、
（ｂ）０．１質量％〜２質量％の１種もしくは２種以上のポリアミノカルボン酸、
（ｃ）０．１質量％〜５質量％の１種もしくは２種以上のテトラアルキルアンモニウム塩、
（ｄ）０．１質量％〜５質量％の１種もしくは２種以上の有機カルボン酸、
（ｅ）随意選択的に０．１質量％〜５質量％の１種もしくは２種以上のアミン、
（ｆ）随意選択的に１種もしくは２種以上の重炭酸塩、ならびに、
（ｇ）水、
から本質的になる化学機械研摩組成物であって、７〜１１のｐＨを有する、化学機械研磨組成物。
【請求項１４】
（ａ）０．５質量％〜２０質量％のシリカ、
（ｂ）０．０２質量〜５質量の１種または２種以上の窒素含有複素環式化合物、
（ｃ）０．０５質量％〜２質量％の１種または２種以上のアミノホスホン酸、
（ｄ）０．１質量％〜５質量％の１種または２種以上のテトラアルキルアンモニウム塩、
（ｅ）随意選択的に１種または２種以上の重炭酸塩、ならびに
（ｆ）水、
から本質的になる化学機械研磨組成物であって、７〜１１のｐＨを有する、化学機械研磨組成物。